(57)【特許請求の範囲】
【請求項１】
ネットワークを介した端末装置からのアクセスにより、コマーシャル映像を前記端末装置に送出するコマーシャル映像の送出方法であって、
前記端末装置からのアクセスにより、トップページを前記端末装置で表示させ、前記トップページでコマーシャル映像を順次表示させ、前記端末装置から宣伝対象のカテゴリの指定を受け付けるカテゴリ受付ステップと、
前記カテゴリ受付ステップで受け付けたカテゴリによるデータベースの検索により、蓄積して保持したコマーシャル映像群から対応するコマーシャル映像を検出するカテゴリによるコマーシャル映像の検索ステップと、
前記カテゴリによるコマーシャル映像の検索ステップで検出した複数のコマーシャル映像を前記端末装置に順次送出して、前記複数のコマーシャル映像を前記端末装置で順次表示させるコマーシャル映像のラインダンス表示ステップと、
前記ラインダンス表示ステップによる表示における前記端末装置の選択操作により、前記端末装置における前記複数のコマーシャル映像の表示を、選択操作に係るコマーシャル映像の表示に切り換えるＣＭ詳細画面表示ステップとを備え、
前記ＣＭ詳細画面表示ステップは、
表示しているコマーシャル映像の出演者による検索を受け付けるメニュー、表示しているコマーシャル映像の広告主による検索を受け付けるメニュー、表示しているコマーシャル映像と同一のシリーズによるコマーシャル映像の検索を受け付けるメニューを併せて表示し、
前記コマーシャル映像の送出方法は、
前記ＣＭ詳細画面表示ステップによる表示において出演者による検索が指示されると、データベースの検索により、指示された出演者が出演しているコマーシャル映像を前記コマーシャル映像群から検出する出演者によるコマーシャル映像の検索ステップと、
前記出演者によるコマーシャル映像の検索ステップで検出されたコマーシャル映像を前記端末装置で表示させる出演者によるコマーシャル映像の表示ステップと、
前記ＣＭ詳細画面表示ステップによる表示において広告主による検索が指示されると、データベースの検索により、指示された広告主によるコマーシャル映像を前記コマーシャル映像群から検出する広告主によるコマーシャル映像の検索ステップと、
前記広告主によるコマーシャル映像の検索ステップで検出されたコマーシャル映像を前記端末装置で表示させる広告主によるコマーシャル映像の表示ステップと、
前記ＣＭ詳細画面表示ステップにおける表示において、前記同一のシリーズによるコマーシャル映像の検索が指示されると、指示されたシリーズのコマーシャル映像を前記コマーシャル映像群から検索するシリーズによる検索ステップと、
前記シリーズによる検索ステップで検出されたコマーシャル映像を前記端末装置で表示されるシリーズによるコマーシャル映像の表示ステップとを有する
コマーシャル映像の送出方法。
【請求項２】
前記コマーシャル映像のラインダンス表示ステップは、
さらに前記複数のコマーシャル映像について、各コマーシャル映像の静止画像を前記端末装置で一覧表示させる
請求項１に記載のコマーシャル映像の送出方法。
【請求項３】
ネットワークを介した端末装置からのアクセスにより、コマーシャル映像を前記端末装置に送出するコマーシャル映像送出装置であって、
前記端末装置からのアクセスにより、トップページを前記端末装置で表示させ、前記トップページでコマーシャル映像を順次表示させ、前記端末装置から宣伝対象のカテゴリの指定を受け付けるカテゴリ受付部と、
前記カテゴリ受付部で受け付けたカテゴリによるデータベースの検索により、蓄積して保持したコマーシャル映像群から対応するコマーシャル映像を検出するカテゴリによるコマーシャル映像の検索部と、
前記カテゴリによるコマーシャル映像の検索部で検出した複数のコマーシャル映像を前記端末装置に順次送出して、前記複数のコマーシャル映像を前記端末装置で順次表示させるコマーシャル映像のラインダンス表示部と、
前記ラインダンス表示部による表示における前記端末装置の選択操作により、前記端末装置における前記複数のコマーシャル映像の表示を、選択操作に係るコマーシャル映像の表示に切り換えるＣＭ詳細画面表示部とを備え、
前記ＣＭ詳細画面表示部は、
表示しているコマーシャル映像の出演者による検索を受け付けるメニュー、表示しているコマーシャル映像の広告主による検索を受け付けるメニュー、表示しているコマーシャル映像と同一のシリーズによるコマーシャル映像の検索を受け付けるメニューを併せて表示し、
出演者による検索が指示されると、データベースの検索により、指示された出演者が出演しているコマーシャル映像を前記コマーシャル映像群から検出し、検出されたコマーシャル映像を前記端末装置で表示させ、
広告主による検索が指示されると、データベースの検索により、指示された広告主によるコマーシャル映像を前記コマーシャル映像群から検出し、検出されたコマーシャル映像を前記端末装置で表示させ、
前記同一のシリーズによるコマーシャル映像の検索が指示されると、指示されたシリーズのコマーシャル映像を前記コマーシャル映像群から検索し、検出されたコマーシャル映像を前記端末装置で表示させる
コマーシャル映像送出装置。
【発明の詳細な説明】
【技術分野】
【０００１】
本発明は、テレビジョン放送等で放送されるコマーシャル映像について、インターネット等のネットワークを介してこのコマーシャル映像を提供するシステムに関するものである。
【背景技術】
【０００２】
従来、テレビジョン放送は、コマーシャル映像の放送により商品、サービスを宣伝している。また近年、インターネットでは、各種の動画サイトにおいて、テレビジョン放送により放映されたコマーシャル映像がアップロードされており、ユーザの興味を引くコマーシャル映像は、インターネット上で繰り返し視聴され、商品、サービスの宣伝に大きく寄与している。またインターネット上では、同種の商品、サービスを比較するサイトも運営されており、このようなサイトにおける表示は、ユーザにおける商品選択、サービス選択を手助けすることができる。
【０００３】
近年、例えば特開２００１−３０９３４５号公報では、インターネット等のネットワーク上で映画等の映像コンテンツを提供する際に、ユーザに応じてコマーシャル映像を選択して提供する方法が提案されている。
【先行技術文献】
【特許文献】
【０００４】
【特許文献１】特開２００１−３０９３４５号公報
【発明の概要】
【発明が解決しようとする課題】
【０００５】
ところで動画サイトにおける各コマーシャル映像の視聴回数を見れば、コマーシャル映像を視聴するユーザが多数存在することが判る。このようなユーザに対して従来に比して一段と簡易に所望するコマーシャル映像を提供することができれば、便利であると考えられる。またこのようなユーザの中には、単にコマーシャル映像を視聴して楽しむだけでなく、商品選択、サービス選択の参考にする場合もあり、このようなユーザに対しては、同種の商品、サービスと簡易に横比較することができるように、コマーシャル映像を提供することにより、一段と利便を図ることができる。特に、このようなユーザは、商品開発等の重要な各種貴重な情報をもたらすことが予測されることから、このようなユーザの利便を図ることができれば、アクセス数の増大により貴重な情報取得の機会を増大させることができる。
【０００６】
本発明はこのような状況に鑑みてなされたものであり、従来に比して一段と利便性を向上してコマーシャル映像を提供することができるコマーシャル映像の送出方法及びコマーシャル映像提供装置を提案することを目的とする。
【課題を解決するための手段】
【０００７】
（１）  ネットワークを介した端末装置からのアクセスにより、コマーシャル映像を前記端末装置に送出するコマーシャル映像の送出方法であって、
前記端末装置から宣伝対象のカテゴリの指定を受け付けるカテゴリ受付ステップと、
前記カテゴリ受付ステップで受け付けたカテゴリによるデータベースの検索により、蓄積して保持したコマーシャル映像群から対応するコマーシャル映像を検出するカテゴリによるコマーシャル映像の検索ステップと、
前記カテゴリによるコマーシャル映像の検索ステップで検出した複数のコマーシャル映像を前記端末装置に順次送出して、前記複数のコマーシャル映像を前記端末装置で順次表示させるコマーシャル映像のラインダンス表示ステップと、
前記ラインダンス表示ステップによる表示における前記端末装置の選択操作により、前記端末装置における前記複数のコマーシャル映像の表示を、選択操作に係るコマーシャル映像の表示に切り換えるＣＭ詳細画面表示ステップとを備えるようにする。
【０００８】
（１）によれば、同一カテゴリのコマーシャル映像を選択して順次表示することにより、いわゆる横並びにより同一カテゴリの商品を比較検討することができ、これによりユーザの利便性を向上することができる。またカテゴリによりコマーシャル映像を検索できることによっても、ユーザの利便性を向上することができる。またＣＭ詳細画面表示ステップにより必要に応じて所望するコマーシャル映像を詳細に視聴することができ、これによってもユーザの利便性を向上することができる。
【０００９】
（２）  （１）において、前記ＣＭ詳細画面表示ステップは、
表示しているコマーシャル映像の出演者による検索、及び表示しているコマーシャル映像の広告主による検索を受け付けるメニューを併せて表示し、
前記コマーシャル映像の送出方法は、
前記ＣＭ詳細画面表示ステップによる表示において出演者による検索が指示されると、データベースの検索により、指示された出演者が出演しているコマーシャル映像を前記コマーシャル映像群から検出する出演者によるコマーシャル映像の検索ステップと、
前記出演者によるコマーシャル映像の検索ステップで検出されたコマーシャル映像を前記端末装置で表示させる出演者によるコマーシャル映像の表示ステップと、
前記ＣＭ詳細画面表示ステップによる表示において広告主による検索が指示されると、データベースの検索により、指示された広告主によるコマーシャル映像を前記コマーシャル映像群から検出する広告主によるコマーシャル映像の検索ステップと、
前記広告主によるコマーシャル映像の検索ステップで検出されたコマーシャル映像を前記端末装置で表示させる広告主によるコマーシャル映像の表示ステップとを有する。
【００１０】
（２）によれば、広告対象のカテゴリをキーにして検索したコマーシャル映像から、そのコマーシャル映像の出演者が主演している他のコマーシャル映像、そのコマーシャル映像の広告主に係る他のコマーシャル映像を視聴することができる。従って断片的な記憶によっても所望するコマーシャル映像を視聴することができ、これによりユーザの利便性を向上することができる。
【００１１】
（３）  （１）又は（２）において、前記ＣＭ詳細画面表示ステップは、
表示しているコマーシャル映像と同一のシリーズによるコマーシャル映像の検索を受け付けるメニューを併せて表示し、
前記コマーシャル映像の送出方法は、
前期ＣＭ詳細画面表示ステップにおける表示において、前記同一のシリーズによるコマーシャル映像の検索が指示されると、指示されたシリーズのコマーシャル映像を前記コマーシャル映像群から検索するシリーズによる検索ステップと、
前記シリーズによる検索ステップで検出されたコマーシャル映像を前記端末装置で表示されるシリーズによるコマーシャル映像の表示ステップとを有する。
【００１２】
（３）によれば、さらにシリーズ物によるコマーシャル映像についても、断片的な記憶から所望するコマーシャル映像を視聴することができ、これによりユーザの利便性を向上することができる。
【００１３】
（４）  （１）、（２）、又は（３）において、前記コマーシャル映像のラインダンス表示ステップは、
さらに前記複数のコマーシャル映像について、各コマーシャル映像の静止画像を前記端末装置で一覧表示させる。
【００１４】
（４）によれば、さらに静止画像による横比較によりコマーシャル映像を表示して、ユーザの利便性を向上することができる。
【００１５】
（５）  ネットワークを介した端末装置からのアクセスにより、コマーシャル映像を前記端末装置に送出するコマーシャル映像送出装置であって、
前記端末装置から宣伝対象のカテゴリの指定を受け付けるカテゴリ受付部と、
前記カテゴリ受付部で受け付けたカテゴリによるデータベースの検索により、蓄積して保持したコマーシャル映像群から対応するコマーシャル映像を検出するカテゴリによるコマーシャル映像の検索部と、
前記カテゴリによるコマーシャル映像の検索部で検出した複数のコマーシャル映像を前記端末装置に順次送出して、前記複数のコマーシャル映像を前記端末装置で順次表示させるコマーシャル映像のラインダンス表示部と、
前記ラインダンス表示部による表示における前記端末装置の選択操作により、前記端末装置における前記複数のコマーシャル映像の表示を、選択操作に係るコマーシャル映像の表示に切り換えるＣＭ詳細画面表示部とを備える。
【００１６】
（５）によれば、同一カテゴリのコマーシャル映像を選択して順次表示することにより、いわゆる横並びにより同一カテゴリの商品を比較検討することができ、これによりユーザの利便性を向上することができる。またカテゴリによりコマーシャル映像を検索できることによっても、ユーザの利便性を向上することができる。またＣＭ詳細画面表示ステップにより必要に応じて所望するコマーシャル映像を詳細に視聴することができ、これによってもユーザの利便性を向上することができる。
【発明の効果】
【００１７】
従来に比して一段と利便性を向上してコマーシャル映像を提供することができる。
【図面の簡単な説明】
【００１８】
【図１】本発明に係る実施形態に係るコマーシャル映像提供システムを示す図である。
【図２】メインデータベースの説明に供する図である。
【図３】サブデータベースの説明に供する図である。
【図４】トップページを示す図である。
【図５】ラインダンス画面を示す図である。
【図６】ラインダンス画面の詳細を示す図である。
【図７】ＣＭ詳細画面を示す図である。
【図８】リモコンを示す図である。
【図９】カテゴリ検索に係る処理手順を示すフローチャートである。
【図１０】ＣＭ詳細画面に処理手順を示すフローチャートである。
【発明を実施するための形態】
【００１９】
〔第１実施形態〕
図１は、本発明の第１実施形態に係るコマーシャル映像提供システムを示す図である。このコマーシャル映像提供システム１は、ユーザ端末２Ａ、２Ｂからのインターネット３によるネットワークを介したアクセスにより、ＷＥＢサーバ４からコマーシャル映像を提供する。ここでユーザ端末２Ａ、２Ｂは、インターネットを介してＷＥＢサーバ４に接続可能な各種の情報処理装置であり、例えばコンピュータ、携帯電話、ネットワーク接続端末等である。
【００２０】
ＷＥＢサーバ４は、コマーシャル映像の送出に係るホームページをインターネット上で運用するコンピュータであり、このホームページへのユーザ端末２Ａ、２Ｂによるアクセスによりコマーシャル映像等を送出する。このためＷＥＢサーバ４は、主コンテンツ蓄積部６に、再生時間（放送時間）が基本単位の長さである多数のコマーシャル映像を記録して保持し、またこの保持したコマーシャル映像を送出する。これによりＷＥＢサーバ４は、この主コンテンツ蓄積部６にコマーシャル映像群を記録して保持する。なおここでこの基本単位の再生時間は、この実施形態では１５秒である。
【００２１】
またさらにＷＥＢサーバ４は、この主のコンテンツ蓄積部６に蓄積したコマーシャル映像に関連する映像コンテンツのファィルを副コンテンツ蓄積部７に記録して保持し、またこの副コンテンツ蓄積部７に蓄積した映像コンテンツを送出する。ここでこの副のコンテンツ蓄積部７で蓄積する映像コンテンツは、主のコンテンツ蓄積部６に蓄積したコマーシャル映像の再生時間（放送時間）に対して、再生時間（放送時間）が基本単位とは異なる再生時間３０秒、６０秒等のコマーシャル映像、商品を生産する工場を紹介するコマーシャル映像、商品開発者へのインタビュー映像、コマーシャル映像のメイキングビデオ、商品発表会の映像等である。これによりＷＥＢサーバ４は、主のコンテンツ蓄積部６に記録したコマーシャル映像に関連する映像コンテンツ群を副コンテンツ蓄積部７に記録して保持する。
【００２２】
ＷＥＢサーバ４は、これらコマーシャル映像、映像コンテンツの送出に係る一連の処理を実行するためのプログラムが記録され、さらには各種データベースが構築される。
【００２３】
図２は、これらのデータベースのうちの１つであるメインデータベース（メインＤＢ）８の説明に供する図表である。メインデータベース８は、主のコンテンツ蓄積部６に記録したコマーシャル映像の検索に使用するデータベースである。このメインデータベース８において、ＣＭファイルＩＤは、主のコンテンツ蓄積部６に記録したコマーシャル映像の識別情報であり、それぞれ対応するコマーシャル映像のファイルを特定するために設定される。メインデータベース８は、ＣＭファィルＩＤ毎にレコードが設けられる。各レコードにおいて、続くタイトルは、各コマーシャル映像のタイトルであり、このメインデータベース８の管理を容易にするために設けられる。続くカテゴリＩＤは、対応するコマーシャル映像の広告対象を分類するカテゴリの識別情報である。このコマーシャル映像提供システム１は、大分類、中分類、小分類による階層構造の分類により各広告対象を分類しており、カテゴリＩＤは、この大分類、中分類及び小分類に対応して設定される。
【００２４】
続いてメインデータベース８は、対応するコマーシャル映像の広告主を識別する広告主ＩＤが設けられ、さらに対応するコマーシャル映像の出演者を識別する出演者ＩＤが設けられる。さらにメインデータベース８は、コマーシャル映像がいわゆるシリーズ物の場合に、このシリーズの識別情報であるシリーズＩＤが設定される。なおカテゴリＩＤ、広告主ＩＤ、出演者ＩＤ、シリーズＩＤについては、各ＩＤから対応するカテゴリ名、広告主名、出演者名、シリーズ名を特定するデータベースが別途設けられる。これによりＷＥＢサーバ４は、カテゴリＩＤによる検索により、主のコンテンツ蓄積部６に記録された多数のコマーシャル映像から特定カテゴリのコマーシャル映像を検索できるように設定される。また同様に、広告主ＩＤ、出演者ＩＤ、シリーズＵＤによる検索により、それぞれ特定の広告主によるコマーシャル映像、特定の出演者が出演しているコマーシャル映像、特定シリーズのコマーシャル映像を主のコンテンツ蓄積部６から検索できるように設定される。
【００２５】
さらにメインデータベース８は、コマーシャル映像を特定するキーワードが設けられ、これによりキーワードによっても所望のコマーシャル映像を検索可能に設定される。
【００２６】
これに対して図３は、副のコンテンツ蓄積部７に係るサブデータベース（サブＤＢ）９の説明に供する図表である。サブデータベース９は、副のコンテンツ蓄積部７に記録した映像コンテンツの送出に係るデータベースである。サブデータベース９は、メインデータベース８と同様に、ＣＭファィルＩＤが設けられ、主のコンテンツ蓄積部６に記録されたコマーシャル映像毎にレコードが設けられる。ここで各レコードにおいてコンテンツＩＤは、副コンテンツ蓄積部７に記録された映像コンテンツの中で、より商品を詳細に紹介する映像コンテンツついて、当該映像コンテンツを識別するコンテンツＩＤが設定される。なおこのような映像コンテンツは、例えば再生時間が３０秒、６０秒等のコマーシャルによる映像、工場を紹介する映像、商品開発者へのインタビュー映像等である。
【００２７】
続いてサブデータベース９は、メイキングビデオＩＤが設定される。ここでメイキングビデオＩＤは、副のコンテンツ蓄積部７に記録された映像コンテンツの中で、対応するコマーシャル映像をより詳細に紹介する映像コンテンツを識別する識別情報である。より具体的に、当該映像コンテンツには、対応するコマーシャル映像のメイキングビデオ、商品発表会の映像が割り当てられる。更にサブデータベース９は、対応するコマーシャル映像に係る広告主のホームページアドレス（ＨＰ）、当該ホームページにおける商品の詳細情報を提供する商品詳細ページのアドレス等が設定される。
【００２８】
ＷＥＢサーバ４は、ユーザによるユーザ端末２Ａ、２Ｂの操作に応動してこれらメインデータベース８、サブデータベース９を検索して主コンテンツ蓄積部６及び副コンテンツ蓄積部７に蓄積されたファィルを送出する。
【００２９】
図４は、このＷＥＢサーバ４により提供されるトップページ１１を示す図である。ＷＥＢサーバ４は、ユーザ端末２Ａ、２Ｂによるアクセスによりこのトップページ１１をユーザ端末２Ａ、２Ｂで表示させる。ここでこのトップページ１１は、左上隅にホームページのタイトルが表示され、その右側に所望の操作を指示するボタンＢ１が表示される。なおここでこのボタンＢ１は、特定のページへのジャンプを指示するボタン、コマーシャル映像のカテゴリ検索を指示するボタン、コマーシャル映像のキーワード検索を指示するボタン等である。
【００３０】
ＷＥＢサーバ４は、このボタンＢ１の操作によりユーザ端末２Ａ、２Ｂに係るユーザがキーワード検索を指示すると、ユーザにより入力されたキーワードによりメインデータベース８に記録されたキーワードを検索し、ヒットしたコマーシャル映像を後述するラインダンス画面により表示する。
【００３１】
またＷＥＢサーバ４は、このボタンＢ１の操作によりユーザがコマーシャル映像のカテゴリ検索を指示すると、大分類によるカテゴリの一覧を表示する。またこの大分類による一覧表示において、特定のカテゴリが選択されると、この選択されたカテゴリに分類される中分類によるカテゴリの一覧を表示し、さらにこの中分類のよるカテゴリの一覧表示において、特定のカテゴリが選択されると、この選択されたカテゴリに分類される小分類によるカテゴリの一覧を表示する。ＷＥＢサーバ４は、この小分類のよるカテゴリの一覧表示におけるユーザの選択により、対応する小分類のカテゴリによりコマーシャル映像を検索し、この検索によりヒットしたコマーシャル映像を後述するラインダンス画面により表示する。またＷＥＢサーバ４は、ボタンＢ１の操作により特定ページへのジャンプが指示されると、対応するページに表示を切り換える。
【００３２】
またこれらタイトル、ボタンＢ１の下には、コマーシャル映像の表示領域ＡＲ１が設けられる。ここでＷＥＢサーバ４は、このトップページ１１において、オペレータにより設定されたコマーシャル映像を表示領域ＡＲ１で順次循環的に表示する。なおこの順次循環的な表示は、例えばアクセスランキングの高いコマーシャル映像、新着のコマーシャル映像等の表示である。トップページ１１では、この表示領域ＡＲ１の左右に、それぞれこの順次循環的な表示に係る時間軸を遡る方向と、時間軸方向とへのスキップを指示するボタンＢ２、Ｂ３が表示される。ＷＥＢサーバ４は、このボタンＢ２、Ｂ３の操作に応動して領域ＡＲ１の表示をスキップさせる。
【００３３】
またこのボタンＢ２、Ｂ３の外側には、直前に表示したコマーシャル映像の静止画像ＳＴ１、直後に表示するコマーシャル映像の静止画像ＳＴ２が表示され、この静止画像ＳＴ１、ＳＴ２の表示によりコマーシャル映像の表示に係る前後関係を直感的に把握できるように設定される。またこの表示領域ＡＲ１の下には、この順次循環的な表示に係るコマーシャル映像の静止画像ＳＴ４〜ＳＴ８が順次表示され、現在表示中のコマーシャル映像については、この静止画像ＳＴ６が縁彫りにより表示される。これによってもこの実施形態では、この順次循環的な表示における前後関係を直感的に把握できるように設定される。ＷＥＢサーバ４は、この静止画像ＳＴ４〜ＳＴ８がユーザにより選択操作されると、この選択された静止画像に係るコマーシャル映像の表示に領域ＡＲ１の表示をスキップさせる。
【００３４】
なお表示領域ＡＲ１と静止画像ＳＴ４〜ＳＴ８の表示との間には、符号Ｂ４により示すように、表示領域ＡＲ１に表示したコマーシャル映像に関して、このコマーシャル映像を評価するグッドのボタン、お気に入りへの追加ボタン等が表示される。ＷＥＢサーバ４は、これらボタンＢ４の操作に応動して対応する処理を実行する。
【００３５】
トップページ１１は、続いてバリューチャンネルの表示領域ＡＲ２が設けられ、特定スポンサーによる広告がこの表示領域ＡＲ２に静止画像により表示される。ＷＥＢサーバ４は、当該表示領域ＡＲ２に表示された静止画像がユーザにより選択されると、対応するページに表示を切り換える。さらにトップページ１１には、この表示領域ＡＲ２の下に、アクセスランキングの高いコマーシャル映像を紹介する表示領域ＡＲ３、新着のコマーシャル映像を紹介する表示領域ＡＲ４が設けられ、対応するコマーシャル映像の静止画像がタイトル等と共に表示され。またさらに更新履歴の表示領域ＡＲ５が設けられ、この表示領域ＡＲ５に更新履歴を表示する。ＷＥＢサーバは、これらの領域ＡＲ４、ＡＲ５における選択操作に応じて、対応するコマーシャル映像をＣＭ詳細画面により表示する。
【００３６】
さらにトップページ１１は、最下段に、カテゴリの表示領域ＡＲ６が設けられ、大分類によるカテゴリの一覧が表示される。ＷＥＢサーバ４は、この一覧表示において、特定のカテゴリが選択されると、ボタンＢ１によるカテゴリ検索の場合と同様に、この選択されたカテゴリに分類される中分類によるカテゴリの一覧を表示する。またこの中分類によるカテゴリの一覧表示において、特定のカテゴリが選択されると、この選択されたカテゴリに分類される小分類によるカテゴリの一覧を表示する。ＷＥＢサーバ４は、この小分類によるカテゴリの一覧表示におけるユーザの選択により、小分類のカテゴリによりコマーシャル映像を検索して後述するラインダンス画面により表示する。
【００３７】
図５は、カテゴリ検索による検索結果を表示するラインダンス画面を示す平面図である。このラインダンス画面１２は、ボタンＢ１によるカテゴリ検索、及びカテゴリの表示領域ＡＲ６の操作によるカテゴリ検索でヒットしたコマーシャル映像を表示する表示画面である。このラインダンス画面１２は、トップページと同様に、左上隅にホームページのタイトルが表示され、その右側にボタンＢ１が表示される。ＷＥＢサーバ４は、トップページの場合と同様に、ボタンＢ１の操作に応動して検索等の処理を実行して表示を切り換える。
【００３８】
ラインダンス画面１２は、続いてカテゴリの表示領域ＡＲ１１が設けられ、この領域ＡＲ１１に、このラインダンス画面の検索に係る小分類のカテゴリについて、この小分類のカテゴリが属する大分類のカテゴリが表示される。ＷＥＢサーバ４は、この領域ＡＲ１１がユーザにより選択されると、表示中の大分類のカテゴリに属する中分類のカテゴリ一覧を表示し、この中分類のカテゴリ一覧における選択操作に応動して対応する小分類のカテゴリ一覧を表示する。さらにこの小分類のカテゴリ一覧における選択操作に応動してメインデータベース８を再検索し、このラインダンス画面１２の表示を検索結果による表示に切り換える。これによりこの実施形態では、カテゴリによる検索結果を確認して、即座に検索の条件を変更して再検索できるように設定される。
【００３９】
ラインダンス画面１２は、続いてコマーシャル映像の表示領域ＡＲ１２が設けられる。ＷＥＢサーバ４は、図６において矢印により時間の流れを示すように、検索によりヒットしたコマーシャル映像ＣＭＡ、ＣＭＢ、ＣＭＣ、ＣＭＤ、…を所定の順序によりこの表示領域ＡＲ１２で順次表示する。なおこの所定の順序は、オペレータが事前に設定した順序であり、例えばアクセスランキング順、新着順等である。これによりこの実施形態では、特定カテゴリの商品、サービスについて、いわゆる横比較により基本再生時間によるコマーシャル映像を順次視聴することができ、商品選択、サービス選択の利便を図り、従来に比して格段的にユーザの利便を図ることができる。
【００４０】
ＷＥＢサーバ４は（図５）、このコマーシャル映像の表示において、ボタンＢ２、Ｂ３が操作されると、表示領域ＡＲ１２の表示をスキップさせる。このラインダンス画面１２では、ボタンＢ２及びＢ３の外側に、直前に表示したコマーシャル映像の静止画像ＳＴ１、直後に表示するコマーシャル映像の静止画像ＳＴ２が表示され、この静止画像ＳＴ１、ＳＴ２の表示によりコマーシャル映像の表示に係る前後関係を直感的に把握できるように設定される。
【００４１】
ラインダンス画面１２は、続いてＣＭテーブルの表示領域ＡＲ１３が設けられ、この領域ＡＲ１３に、表示領域ＡＲ１２で表示するコマーシャル映像の情報がコマーシャル映像毎に表示される。より具体的には、コマーシャル映像の静止画像、タイトル等である。ＷＥＢサーバ４は、この情報表示領域ＡＲ１３におけるユーザの選択操作により、対応するコマーシャル映像のＣＭ詳細画面に全体の表示を切り換える。なおＷＥＢサーバ４は、領域ＡＲ１２がクリック操作された場合には、表示中のコマーシャル映像にかかるＣＭ詳細画面に表示を切り換える。なお上述した領域ＡＲ１２におけるクリック操作によっても、対応するＣＭ詳細画面に表示を切り換えるようにしてもよい。
【００４２】
ラインダンス画面１２は、続いて当該ユーザが最近見たコマーシャル映像、お勧めのコマーシャル映像等の静止画像が表示され（ＡＲ１４）、続いてトップページにおける領域ＡＲ２と同一に、特定スポンサーによる広告を表示する領域ＡＲ１５が設けられる。ＷＥＢサーバ４は、領域ＡＲ１４、ＡＲ１５におけるユーザの操作に応動して、表示を切り換える。またラインダンス画面１２は、続く最下段に、トップページと同様にカテゴリの表示領域ＡＲ６が設けられ、ＷＥＢサーバ４は、トップページ１１におけるカテゴリの表示領域ＡＲ６と同一に、この領域ＡＲ６の操作により順次表示を切り換えてカテゴリ検索し、さらに検索結果によりラインダンス画面の表示を切り換える。これによってもこの実施形態では、カテゴリによる検索結果を確認して、即座に検索の条件を変更して再検索できるように設定される。
【００４３】
なおＷＥＢサーバ４は、キーワード検索による検索結果についても、このラインダンス画面１２と同一に検索結果を表示する。なおこの場合、検索処理、検索結果が異なることにより、領域ＡＲ１２、ＡＲ１３において表示するコマーシャル映像、及びコマーシャル映像に関する情報が異なる点を除いて、このラインダンス画面１２と同一に構成される。これによりこの実施形態では、統一的な操作により異なる検索結果を視聴できるように設定され、これにより使い勝手を向上する。
【００４４】
図７は、ＣＭ詳細画面の上部を示す図である。ＣＭ詳細画面１３は、ユーザの選択したコマーシャル映像を選択的に表示する表示画面であり、トップページの表示領域ＡＲ４、ＡＲ５における静止画像の選択操作、ラインダンス画面の表示領域ＡＲ１２におけるクリック操作、ラインダンス画面の領域ＡＲ１３における静止画像の選択操作等により表示される。このＣＭ詳細画面１３は、トップページと同様に、タイトル、ボタンＢ１が表示され、コマーシャル映像の表示領域ＡＲ２１が設けられ、この表示領域ＡＲ２１でユーザの選択したコマーシャル映像が表示される。これによりこのコマーシャル映像提供システム１では、所望するコマーシャル映像を詳細に視聴することができる。
【００４５】
さらにＣＭ詳細画面１３は、この表示領域ＡＲ２１の右端に、シリーズＣＭのメニューＭ１、広告主ＣＭメニューＭ２、出演者ＣＭのメニューＭ３がタブにより配置される。ここでシリーズＣＭのメニューＭ１は、領域ＡＲ２１の表示に係るコマーシャル映像と同一のシリーズによるコマーシャル映像の検索を受け付けるメニューである。また広告主ＣＭのメニューＭ２は、領域ＡＲ２１の表示に係るコマーシャル映像の広告主によるコマーシャル映像の検索を受け付けるメニューであり、出演者ＣＭのメニューＭ３は、領域ＡＲ２１の表示に係るコマーシャル映像の出演者が出演しているコマーシャル映像の検索を受け付けるメニューである。さらにＣＭ詳細画面１３は、これらのメニューＭ１〜Ｍ３の右側に、これらのメニューによる検索結果の表示領域ＡＲ２２が設けられる。
【００４６】
ＷＥＢサーバ４は、シリーズＣＭのメニューＭ１が選択操作されると、メインデータベース８の検索により、領域ＡＲ２１で表示するコマーシャル映像のシリーズＩＤを検出し、このシリーズＩＤによる検索により、シリーズのコマーシャル映像を検出する。また検出したコマーシャル映像を静止画像により領域ＡＲ２２で一覧表示する。また一覧表示における対応する静止画像の選択操作により、領域ＡＲ２１の表示をこの選択操作にかかるコマーシャル映像の表示に切り換える。これによりこの実施形態では、シリーズ物によるコマーシャル映像について、商品のカテゴリに係る断片的な記憶を頼りにして、所望するコマーシャル映像を簡易かつ確実に見つけ出し、視聴することができ、これによりユーザの利便性を向上することができる。
【００４７】
これに対して広告主ＣＭメニューＭ２が操作されると、ＷＥＢサーバ４は、メインデータベース８の検索により、領域ＡＲ２１で表示するコマーシャル映像の広告主ＩＤを検出し、この広告主ＩＤによる検索により、同一の広告主に係るコマーシャル映像を検出する。また検出したコマーシャル映像を静止画像により領域ＡＲ２２で一覧表示する。また一覧表示における対応する静止画像の選択操作により、領域ＡＲ２１の表示をこの選択操作にかかるコマーシャル映像の表示に切り換える。これによりこの実施形態では、同一の広告主に係るコマーシャル映像について、カテゴリに係る断片的な記憶を頼りにして、同一の広告主に係る所望のコマーシャル映像を簡易かつ確実に見つけ出し、視聴することができ、これによりユーザの利便性を向上することができる。
【００４８】
これに対して出演者ＣＭのメニューＭ３が操作されると、ＷＥＢサーバ４は、メインデータベース８の検索により、領域ＡＲ２１で表示するコマーシャル映像の出演者ＩＤを検出し、この出演者ＩＤによる検索により、同一の出演者に係るコマーシャル映像を検出する。また検出したコマーシャル映像を静止画像により領域ＡＲ２２で一覧表示する。また一覧表示における対応する静止画像の選択操作により、領域ＡＲ２１の表示をこの選択操作にかかるコマーシャル映像の表示に切り換える。これによりこの実施形態では、同一の出演者に係るコマーシャル映像について、カテゴリに係る断片的な記憶を頼りにして、所望する出演者のコマーシャル映像を簡易かつ確実に見つけ出し、視聴することができ、これによりユーザの利便性を向上することができる。
【００４９】
しかしてこの実施形態では、このようにメニューＭ１〜Ｍ３の操作により検索結果を一覧表示してＣＭ詳細画面１３の表示を切り換えることにより、さらにメニューＭ１〜Ｍ３を操作して所望するコマーシャル映像を検出することができ、これにより断片的な記憶を頼りにして種々にコマーシャル映像を検索して所望のコマーシャル映像を検出することができ、ユーザの利便を図ることができる。またキーワード検索によるラインダンス画面、トップページにおける領域ＡＲ４、ＡＲ５における静止画像からもＣＭ詳細画面に遷移することにより、キーワード等を頼りにした操作によっても所望するコマーシャル映像を視聴することができ、これによってもユーザの利便性を向上することができる。
【００５０】
ＣＭ詳細画面１３は、さらに右側の静止画像による一覧表示の領域ＡＲ２２に、リモコン１４が表示される。ＣＭ詳細画面１３は、この上部側の構成を除いて、他の部位は上述のトップページ又はラインダンス画面と同一に構成される。
【００５１】
図８は、このリモコン１４の表示を詳細に示す図である。このリモコン１４は、領域ＡＲ２１で表示中のコマーシャル映像に係る詳細な情報表示を受け付けるメニューを、副コンテンツ蓄積部７に記録した映像コンテンツの選択を受け付けるメニューと共に、グループ化して表示する。ＷＥＢサーバ４は、このリモコン１４のメニューの操作により対応する処理を実行する。ここでこの処理は、サブデータベース９の検索に係る処理であり、このようにしてグループ化してサブデータベース９に係るメニューを表示することにより、この実施形態では、ＷＥＢサーバ４の管理を簡略化し、さらにはユーザの利便性を向上する。
【００５２】
ここでこのリモコン１４の上段には、表示を中止するメニューが表示され、その下に円形形状によるメニューＭ１１〜Ｍ１３が配置される。ＷＥＢサーバ４は、この表示を中止するメニューの操作によりリモコン１４の表示を中止し、これにより領域ＡＲ２２におけるコマーシャル映像の選択操作を妨げないようにする。メニューＭ１１は、メールの送信を指示するメニューであり、ＷＥＢサーバ４は、このメニューＭ１１の操作によりメールアドレスの入力を受け付け、入力されたメールアドレスに当該ＣＭ詳細画面のＵＲＬを通知する。これに対してメニューＭ１２は、より詳細なコマーシャル映像による映像コンテンツ等を視聴するメニューである。このメニューＭ１２が選択されると、ＷＥＢサーバ４は、サブデータベース９の検索により、対応するコンテンツＩＤを検索する。またこの検索したコンテンツＩＤによる映像コンテンツの静止画像を一覧表示し、この一覧表示におけるユーザの選択操作により対応する映像コンテンツを表示する。これによりＷＥＢサーバ４は、領域ＡＲ２１で表示するコマーシャル映像に対して、再生時間が基本単位とは異なる再生時間３０秒、６０秒等のコマーシャル映像、商品を生産する工場を紹介するコマーシャル映像、商品開発者へのインタビュー映像を紹介する。
【００５３】
これによりこの実施形態では、コマーシャル映像群とは別に、各コマーシャル映像に係る映像コンテンツを管理して、簡易な管理により商品、広告主に関する詳細情報を映像により提供し、ユーザの利便性を一段と向上する。すなわちコマーシャル映像群にあっては、商品がリニューアルする毎に、さらには一定の期間の経過により、順次、放送されるコマーシャル映像が変化することにより、常に更新等の処理を実行することが必要になる。しかしながら比較的再生時間の長いコマーシャル映像、工場を紹介する映像、商品開発者へのインタビュー映像等は、主コンテンツ蓄積部６に蓄積した映像コンテンツに比して、更新、新作の頻度が低い特徴があり、また場合によっては、主コンテンツ蓄積部６に蓄積した複数のコマーシャル映像に共通する場合もある。これによりこの実施形態のように、主コンテンツ蓄積部６と副コンテンツ蓄積部７とに分けてコマーシャル映像、映像コンテンツを蓄積して保持し、コマーシャル映像の表示からのユーザ操作により映像コンテンツを提供することにより、ＷＥＢサーバ４の管理を簡略化することができる。またユーザにおいても、所望のコマーシャル映像からより詳細な情報を映像により視聴できることにより、利便性を向上することができる。
【００５４】
これに対してメニューＭ１３は、メイキングビデオの視聴を指示するメニューである。ＷＥＢサーバ４は、このメニューＭ１３の選択により、サブデータベース９を検索し、対応するメイキングビデオＩＤを検索する。またこの検索したメイキングビデオＩＤによる映像コンテンツの静止画像を一覧表示し、この一覧表示におけるユーザの選択操作により対応する映像コンテンツを表示する。これによりＷＥＢサーバ４は、領域ＡＲ２１で表示するコマーシャル映像に対して、コマーシャル映像のメイキング映像、商品発表会の映像等を紹介する。これによりこのようなメイキングビデオ等についても、この実施の形態では、管理を簡略化し、さらにはユーザの利便性を向上する。
【００５５】
続いてメニューＭ１４〜Ｍ１８が順次表示される。ここでメニューＭ１４は、ホームページへのジャンプを指示するメニューであり、ＷＥＢサーバ４は、このメニューＭ１４の操作によりサブデータベース９を検索してホームページのＵＲＬを検出し、このＵＲＬをユーザ端末２Ａ、２Ｂに通知してコマーシャル映像に係るホームページにユーザを誘導する。続くメニューＭ１５〜Ｍ１８は、それぞれ商品詳細の表示を指示するメニュー、広告対象の資料請求を指示するメニュー、広告対象の購入を指示するメニュー、電子チラシの表示を指示するメニューである。ＷＥＢサーバ４は、これらのメニューＭ１５〜Ｍ１８が操作された場合には、メニューＭ１４が操作された場合と同様の処理により、対応する処理を実行する。
【００５６】
図９は、これらの画面遷移のうちのカテゴリ検索に係るＷＥＢサーバ４の処理手順を示すフローチャートである。ＷＥＢサーバ４は、ユーザによるユーザ端末２Ａ、２Ｂの操作によりカテゴリ検索が指示されると、大分類、中分類、小分類の一覧を順次表示してカテゴリの入力を受け付け（ステップＳＰ１−ＳＰ２）、このカテゴリによりメインデータベース８を検索する（ステップＳＰ３）。またこの検索によりヒットしたコマーシャル映像をラインダンス画面により表示し（ステップＳＰ４）、このラインダンス画面において選択されたコマーシャル映像をＣＭ詳細画面により表示する（ステップＳＰ５）。またこの表示において、それぞれシリーズＣＭのメニューＭ１、広告主ＣＭメニューＭ２、出演者ＣＭのメニューＭ３が操作されると、メインデータベース８の検索によりそれぞれ対応するコマーシャル映像を選択して一覧表示し、ユーザの操作によりＣＭ詳細画面の表示を切り換える（ステップＳＰ６〜ＳＰ９）。
【００５７】
これに対して図１０は、ＣＭ詳細画面に係る処理手順を示すフローチャートである。ＷＥＢサーバ４は、ＣＭ詳細画面において、リモコン１４が操作され、この操作がメニューＭ１２に係る操作の場合（ステップＳＰ２１−ＳＰ２２−ＳＰ２３）、サブデータベース９の検索により対応するコンテンツＩＤを検出する（ステップＳＰ２４）。また検出したコンテンツＩＤに係る映像コンテンツの静止画像を一覧表示し、この一覧表示における選択操作によりＣＭ詳細画面の表示を切り換える（ステップＳＰ２５−ＳＰ２６）。これに対してリモコン１４の操作がメイキングビデオに係るメニューＭ１３の場合、サブデータベース９の検索によりメイキングビデオＩＤを検出する（ステップＳＰ２８）。また検出したメイキングビデオＩＤによる映像コンテンツの静止画像を一覧表示し、この一覧表示における選択操作によりＣＭ詳細画面の表示を切り換える（ステップＳＰ２５−ＳＰ２６）。これに対してリモコン１４の操作が他のメニューの操作である場合、対応する処理を実行する（ステップＳＰ２９）。
【００５８】
以上の構成によれば、カテゴリにより検索してコマーシャル映像群からコマーシャル映像を検出してラインダンス画面により順次表示し、さらにユーザによる選択操作に応動してＣＭ詳細画面により特定のコマーシャル映像を選択的に表示することにより、所望するカテゴリに分類される広告対象を横比較できるように表示することができ、これによりユーザの利便性を従来に比して格段的に向上してコマーシャル映像を提供することができる。また商品等のカテゴリにより検索して、所望のコマーシャル映像を簡易かつ確実に検出することができ、これによってもユーザの利便性を向上することができる。
【００５９】
またＣＭ詳細画面表示において、広告主による検索、出演者による検索を受け付けることにより、広告対象のカテゴリを頼りにした断片的な記憶によっても、所望する広告主、出演者のコマーシャル映像を検出することができ、これによっても一段とユーザの使い勝手を向上することができる。
【００６０】
またさらにＣＭ詳細画面表示において、シリーズによる検索を受け付けることにより、広告対象のカテゴリを頼りにした断片的な記憶によっても、対応するシリーズ物のコマーシャル映像を検出することができ、これによっても一段とユーザの使い勝手を向上することができる。
【００６１】
さらにラインダンス表示において、検索によりヒットしたコマーシャル映像を静止画像により一覧表示することにより、この一覧表示によっても、各種のコマーシャル映像を横比較してユーザの使い勝手を向上することができる。
【００６２】
〔他の実施形態〕
以上、本発明の実施に好適な具体的な構成を詳述したが、本発明は、本発明の趣旨を逸脱しない範囲で、上述の実施形態の構成を種々に変更し、さらには従来構成と組み合わせることができる。
【００６３】
すなわち上述の実施形態では、再生時間が最も短い１５秒であるコマーシャル映像を主コンテンツ蓄積部６に記録して保持し、主体的に検索する場合について述べたが、本発明はこれに限らず、例えば放送頻度の最も高いコマーシャル映像をそれぞれ主体的に検索するようにしてもよい。
【００６４】
より具体的に、上述の実施形態では、１５秒の再生時間を基本単位に設定して主のコンテンツ蓄積部に蓄積する場合について述べたが、本発明はこれに限らず、国によっては基本単位が３０秒等であることにより、コマーシャル映像の放送国等の属性により、基本単位を種々に変更して、さらには基本単位に幅を持たせて、対応する映像コンテンツを主のコンテンツ蓄積部に蓄積してもよい。
【００６５】
また上述の実施形態では、工場見学の映像等を副のコンテンツ蓄積部に格納して提供刷る場合について述べたが、本発明はこれに限らず、さらに広告対象の使用方法の説明に供する映像、コマーシャル映像を作成する際のＮＧカット集による映像、挿入歌のプロモーションビデオ等、広告対象に関する種々の情報を提供する映像コンテンツを広く適用することができる。
【００６６】
また上述の実施形態では、事前に設定された規則に従って、トップ画面における表示順序、ラインダンス画面の表示順序等を設定する場合について述べたが、本発明はこれに限らず、ユーザによるアクセスの履歴によりユーザ毎に表示順序を変更するようにしてもよい。具体的に、例えばラインダンス画面等において、特定メーカのコマーシャル映像をスキップさせるユーザについては、この特定メーカのコマーシャル映像については、表示の順番を下位に設定する。これによりユーザは、所望するコマーシャル映像等を迅速に見つけ出すことができ、一段とユーザの使い勝手を向上することができる。
【００６７】
またインターネットによる映像コンテンツの提供では、再生中のコマーシャル映像のスキップ、再生停止等の操作についてもユーザの操作を検出できることにより、このような操作の履歴に基づいて、ユーザ毎に、トップ画面等における静止画像の提供、コマーシャル映像の提供等を切り換えるようにしてもよい。具体的に、例えば主演者により検索したラインダンス画面において、自動車のコマーシャル映像のほぼ全てをスキップさせている場合、このユーザについては、主演者等による検索結果に自動車のコマーシャル映像を含ませないようにする場合である。このようにしてもユーザの使い勝手を向上することができる。
【００６８】
また上述の実施形態では、アクセスランキングによりラインダンス画面等の表示順序を設定する場合について述べたが、本発明はこれに限らず、さらにユーザの各種の反応を集計して表示順序を設定してもよい。またこのような表示順序の設定に係るユーザの反応を数値化して表示してもよい。
【００６９】
具体的に、アクセスランキング、ユーザがｇｏｏｄのボタンを操作した回数、ユーザによるメールによる紹介の回数等を数値化して集計し、これによりユーザの評価を数値化する。さらにこの数値化した評価により表示の順序を設定し、さらにはこの数値自体を評価値として表示する。このようにすれば、一段とユーザの使い勝手を向上することができ、ユーザによる商品選択の手助けを図ることができる。
【００７０】
また上述の実施形態では、メインデータベースとサブデータベースとを構築する場合について述べたが、本発明はこれに限らず、データベースの構築方法にあっては種々の手法を適用することができる。
【符号の説明】
【００７１】
１  コマーシャル映像提供システム
２Ａ、２Ｂ  ユーザ端末
３  インターネット
４  ＷＥＢサーバ
６  主コンテンツ蓄積部
７  副コンテンツ蓄積部
８  メインデータベース
９  サブデータベース
１１  トップページ
１２  ラインダンス画面
１３  ＣＭ詳細画面
【図１】
0005996854.tif 000002
【図２】
0005996854.tif 000003
【図３】
0005996854.tif 000004
【図４】
0005996854.tif 000005
【図５】
0005996854.tif 000006
【図６】
0005996854.tif 000007
【図７】
0005996854.tif 000008
【図８】
0005996854.tif 000009
【図９】
0005996854.tif 000010
【図１０】
0005996854.tif 000011